(57)【要約】【課題】ルーティングスイッチャの出力信号線について設定された信号名称を表示するのに適した信号名称表示装置を提供する。【解決手段】複数の入力信号線，出力信号線が交差するマトリクス構造の信号切替装置３Ａ，３Ｂにおけるマトリクス外部での出力信号線・入力信号線のつながりを示す情報を記憶した手段と、この記憶情報及び信号切替装置３Ａ，３Ｂのマトリクス内部での入力信号線・出力信号線の接続を示す情報に基づき、信号切替装置３Ａの基準とする入力信号線の入力信号を最終的に出力する出力信号線を検索する手段と、この検索結果及び信号切替装置３Ｂの出力信号線についての信号名称を示す情報に基づき、基準とする入力信号線の入力信号を最終的に出力する出力信号線についての信号名称を表示する手段とを備えた信号名称表示装置１０を設ける。【選択図】            図５
2004186899.tif 000002
【特許請求の範囲】
【請求項１】
複数の入力信号線と複数の出力信号線とが交差するマトリクス構造の信号切替装置における前記マトリクスの外部での前記出力信号線と前記入力信号線とのつながりを示す情報を記憶した記憶手段と、
前記記憶手段に記憶された情報と、前記信号切替装置の前記マトリクス内部での前記入力信号線と前記出力信号線との接続を示す情報とに基づき、いずれかの前記入力信号線を基準として、該入力信号線に入力した信号が最終的に出力される前記出力信号線を検索する検索手段と、
前記検索手段の検索結果と、前記信号切替装置の前記出力信号線についての信号名称を示す情報に基づき、前記基準となる入力信号線に入力した信号が最終的に出力される前記出力信号線についての信号名称を表示する表示手段と
を備えたことを特徴とする信号名称表示装置。
【請求項２】
請求項１に記載の信号名称表示装置において、
前記出力信号線の検索範囲を設定するための操作手段
をさらに備え、
前記検索手段は、前記操作手段で設定された範囲で検索を行う
ことを特徴とする信号名称表示装置。
【請求項３】
請求項１に記載の信号名称表示装置において、
前記出力信号線の検索順序を設定するための操作手段
をさらに備え、
前記検索手段は、前記操作手段で設定された順序で検索を行う
ことを特徴とする信号名称表示装置。
【請求項４】
請求項１に記載の信号名称表示装置において、
前記記憶手段は、前記出力信号線と前記入力信号線との複数通りのつながりを示す情報を記憶しており、
前記複数通りの中から前記出力信号線と前記入力信号線とつながりを設定するための操作手段
をさらに備え、
前記検索手段は、前記記憶手段に記憶された情報のうち前記操作手段で設定されたつながりを示す情報に基づいて検索を行う
ことを特徴とする信号名称表示装置。
【請求項５】
複数の入力信号線と複数の出力信号線とが交差するマトリクス構造の信号切替装置と、
前記信号切替装置における前記マトリクスの外部での前記出力信号線と前記入力信号線とのつながりを示す情報を記憶した記憶手段と、前記記憶手段に記憶された情報及び前記信号切替装置の前記マトリクス内部での前記入力信号線と前記出力信号線との接続を示す情報に基づき、いずれかの前記入力信号線を基準として、該入力信号線に入力した信号が最終的に出力される前記出力信号線を検索する検索手段と、前記検索手段の検索結果及び前記信号切替装置の前記出力信号線についての信号名称を示す情報に基づき、前記基準となる入力信号線に入力した信号が最終的に出力される前記出力信号線についての信号名称を表示する表示手段とを備えた信号名称表示装置と、
前記信号切替装置の前記マトリクス内部での前記入力信号線と前記出力信号線との接続を示す情報を前記信号名称表示装置に供給する手段と、
前記信号切替装置の前記出力信号線についての信号名称を示す情報を前記信号名称表示装置に供給する手段と
を含んだことを特徴とする信号名称表示システム。
【請求項６】
請求項５に記載の信号名称表示システムにおいて、
前記信号名称表示装置は、
前記出力信号線の検索範囲を設定するための操作手段
をさらに備え、
前記信号名称表示装置の前記検索手段は、前記操作手段で設定された範囲で検索を行う
ことを特徴とする信号名称表示システム。
【請求項７】
請求項５に記載の信号名称表示システムにおいて、
前記信号名称表示装置は、
前記出力信号線の検索順序を設定するための操作手段
をさらに備え、
前記信号名称表示装置の前記検索手段は、前記操作手段で設定された順序で検索を行う
ことを特徴とする信号名称表示システム。
【請求項８】
請求項５に記載の信号名称表示システムにおいて、
前記信号名称表示装置の前記記憶手段は、前記出力信号線と前記入力信号線との複数通りのつながりを示す情報を記憶しており、
前記信号名称表示装置は、
前記複数通りの中から前記出力信号線と前記入力信号線とつながりを設定するための操作手段
をさらに備え、
前記信号名称表示装置の前記検索手段は、前記記憶手段に記憶された情報のうち前記操作手段で設定されたつながりを示す情報に基づいて検索を行う
ことを特徴とする信号名称表示システム。
【請求項９】
複数の入力信号線と複数の出力信号線とが交差するマトリクス構造の信号切替装置における前記マトリクスの外部での前記出力信号線と前記入力信号線とのつながりを示す情報を記憶する第１のステップと、
前記第１のステップで記憶した情報と、前記信号切替装置の前記マトリクス内部での前記入力信号線と前記出力信号線との接続を示す情報とに基づき、いずれかの前記入力信号線を基準として、該入力信号線に入力した信号が最終的に出力される前記出力信号線を検索する第２のステップと、
前記第２のステップでの検索結果と、前記信号切替装置の前記出力信号線についての信号名称を示す情報に基づき、前記基準となる入力信号線に入力した信号が最終的に出力される前記出力信号線についての信号名称を表示する第３のステップと
を有することを特徴とする信号名称表示方法。
【請求項１０】
請求項９に記載の信号名称表示方法において、
前記第２のステップでは、前記出力信号線の検索範囲を設定する操作が行われたことに基づき、該設定された範囲で検索を行う
ことを特徴とする信号名称表示方法。
【請求項１１】
請求項９に記載の信号名称表示方法において、
前記第２のステップでは、前記出力信号線の検索順序を設定する操作が行われたことに基づき、該設定された順序で検索を行う
ことを特徴とする信号名称表示方法。
【請求項１２】
請求項９に記載の信号名称表示方法において、
前記第１のステップで、前記出力信号線と前記入力信号線との複数通りのつながりを示す情報を記憶し、
前記第２のステップでは、前記複数通りの中から前記出力信号線と前記入力信号線とつながりを設定する操作が行われたことに基づき、前記第１のステップで記憶した情報のうち該設定されたつながりを示す情報に基づいて検索を行う
ことを特徴とする信号名称表示方法。
【請求項１３】
複数の入力信号線と複数の出力信号線とが交差するマトリクス構造の信号切替装置における前記マトリクス内部での前記入力信号線と前記出力信号線との接続を示す情報に基づき、いずれかの前記入力信号線を基準として、該入力信号線と接続されている前記出力信号線を検索する検索手段と、
前記検索手段の検索結果に基づき、前記基準となる入力信号線に接続されている前記出力信号線の数が複数であるか１つであるかを判別する判別手段と、
前記判別手段の判別結果と、前記信号切替装置の前記出力信号線についての信号名称を示す情報とに基づき、前記基準となる入力信号線に前記出力信号線が複数接続されている場合、該複数の出力信号線のうちの１つの出力信号線についての信号名称を表示するとともに複数の出力信号線が接続されていることを示すマークを表示し、前記基準となる入力信号線に前記出力信号線が１つだけ接続されている場合、該１つの出力信号線についての信号名称を表示する表示手段と
を備えたことを特徴とする信号名称表示装置。
【請求項１４】
請求項１３に記載の信号名称表示装置において、
前記出力信号線の検索範囲を設定するための操作手段
をさらに備え、
前記検索手段は、前記操作手段で設定された範囲で検索を行う
ことを特徴とする信号名称表示装置。
【請求項１５】
請求項１３に記載の信号名称表示装置において、
前記出力信号線の検索順序を設定するための操作手段
をさらに備え、
前記検索手段は、前記操作手段で設定された順序で検索を行う
ことを特徴とする信号名称表示装置。
【請求項１６】
複数の入力信号線と複数の出力信号線とが交差するマトリクス構造の信号切替装置と、
前記信号切替装置における前記マトリクス内部での前記入力信号線と前記出力信号線との接続を示す情報に基づき、いずれかの前記入力信号線を基準として、該入力信号線と接続されている前記出力信号線を検索する検索手段と、前記検索手段の検索結果に基づき、前記基準となる入力信号線に接続されている前記出力信号線の数が複数であるか１つであるかを判別する判別手段と、前記判別手段の判別結果及び前記信号切替装置の前記出力信号線についての信号名称を示す情報に基づき、前記基準となる入力信号線に前記出力信号線が複数接続されている場合、該複数の出力信号線のうちの１つの出力信号線についての信号名称を表示するとともに複数の出力信号線が接続されていることを示すマークを表示し、前記基準となる入力信号線に前記出力信号線が１つだけ接続されている場合、該１つの出力信号線についての信号名称を表示する表示手段とを備えた信号名称表示装置と、
前記信号切替装置の前記マトリクス内部での前記入力信号線と前記出力信号線との接続を示す情報を前記信号名称表示装置に供給する手段と、
前記信号切替装置の前記出力信号線についての信号名称を示す情報を前記信号名称表示装置に供給する手段と
を含んだことを特徴とする信号名称表示システム。
【請求項１７】
請求項１６に記載の信号名称表示システムにおいて、
前記信号名称表示装置は、
前記出力信号線の検索範囲を設定するための操作手段
をさらに備え、
前記信号名称表示装置の前記検索手段は、前記操作手段で設定された範囲で検索を行う
ことを特徴とする信号名称表示システム。
【請求項１８】
請求項１６に記載の信号名称表示システムにおいて、
前記信号名称表示装置は、
前記出力信号線の検索順序を設定するための操作手段
をさらに備え、
前記信号名称表示装置の前記検索手段は、前記操作手段で設定された順序で検索を行う
ことを特徴とする信号名称表示システム。
【請求項１９】
複数の入力信号線と複数の出力信号線とが交差するマトリクス構造の信号切替装置における前記マトリクス内部での前記入力信号線と前記出力信号線との接続を示す情報に基づき、いずれかの前記入力信号線を基準として、該入力信号線と接続されている前記出力信号線を検索する第１のステップと、
前記第１のステップでの検索結果に基づき、前記基準となる入力信号線に接続されている前記出力信号線の数が複数であるか１つであるかを判別する第２のステップと、
前記第２のステップでの判別結果と、前記信号切替装置の前記出力信号線についての信号名称を示す情報とに基づき、前記基準となる入力信号線に前記出力信号線が複数接続されている場合、該複数の出力信号線のうちの１つの出力信号線についての信号名称を表示するとともに、複数の出力信号線が接続されていることを示すマークを表示し、前記基準となる入力信号線に前記出力信号線が１つだけ接続されている場合、該１つの出力信号線についての信号名称を表示する第３のステップと
を有することを特徴とする信号名称表示方法。
【請求項２０】
請求項１９に記載の信号名称表示方法において、
前記第１のステップでは、前記出力信号線の検索範囲を設定する操作が行われたことに基づき、該設定された範囲で検索を行う
ことを特徴とする信号名称表示方法。
【請求項２１】
請求項１９に記載の信号名称表示方法において、
前記第１のステップでは、前記出力信号線の検索順序を設定する操作が行われたことに基づき、該設定された順序で検索を行う
ことを特徴とする信号名称表示方法。
【発明の詳細な説明】
【０００１】
【発明の属する技術分野】
本発明は、例えば放送局においてルーティングスイッチャの出力信号に設定された信号名称を表示するために適用して好適な信号名称表示装置等に関する。
【０００２】
【従来の技術】
放送局において番組の放送や収録を行う際には、スタジオ内や中継現場の多数のカメラで現在撮影している映像やＶＴＲから再生した資料映像等を全てルーティングスイッチャと呼ばれる信号切替装置に入力させ、どの映像を送出するか、どの映像をどこに配信するか、どの映像をどの編集装置に送るか等を、このルーティングスイッチャを制御することによって切り替えるようにしている。
【０００３】
そして、ルーティングスイッチャの個々の出力信号線から出力している映像がそれぞれどのカメラやＶＴＲからの映像であるか（またはルーティングスイッチャの個々の入力信号線に入力しているカメラやＶＴＲからの映像がそれぞれどこに送られているか）を容易に把握できるようにするために、ルーティングスイッチャの個々の入力信号線に入力する映像信号，個々の出力信号線から出力する映像信号にそれぞれ名称（文字）を設定するとともに、それらの名称を表示するための名称表示器を設け、その名称表示器に、ルーティングスイッチャの入力信号線（または出力信号線）について設定された映像信号の名称を表示するようにしている。
【０００４】
このような、ルーティングスイッチャの入力信号線（または出力信号線）について設定された名称を表示する表示装置を設けたシステムを、本出願人は先行出願（特願２００１−３１９７５７）に記載している。
【０００５】
図１は、その信号名称表示システムの構成を示す。この信号名称表示システムでは、ターミナルＰＣ（パーソナルコンピュータ）１と、Ｓ−ＢＵＳ１次局２と、２次局としてのルーティングスイッチャ３，複数台のタリーパネル４，コントロールパネル５及びライブスイッチャ６とが、Ｓ−ＢＵＳ７に接続されている。Ｓ−ＢＵＳ７は、ルーティングスイッチャ制御用の専用のプロトコルのネットワークである。
【０００６】
図２は、ルーティングスイッチャ３の機能を示す。ルーティングスイッチャ３は複数本（例えば１２８本の倍数で最大１０２４本）の入力信号線ＩＮ００１，ＩＮ００２，…と複数の出力信号線ＯＵＴ００１，ＯＵＴ００２，…とが交差するとともに各交差ポイントに接続スイッチが設けられたマトリクス構造をしている。各入力信号線には、それぞれ特定のカメラで現在撮影している映像または特定のＶＴＲから再生した資料映像等が入力される。各出力信号線から出力した映像は、それぞれ送出・配信用の機器，モニター，編集装置等に送られる。
【０００７】
このルーティングスイッチャ３の各入力信号線をそれぞれ接続スイッチによって所望の出力信号線と接続させる（図では、‘ｐ’として表した交差ポイントで接続させている）ことにより、各カメラで現在撮影している映像やＶＴＲから再生した資料映像をそれぞれどこに配信・送出したりどの編集装置に送ったりするかを切り替えることができる。
【０００８】
図１において、個々のタリーパネル４は、それぞれルーティングスイッチャ３の基準とする出力信号線と接続されている入力信号線（またはルーティングスイッチャ３の基準とする入力信号線と接続されている出力信号線）について設定された英数字の信号名称を、表示素子として例えば蛍光表示管を用いた文字表示部に表示するものである。
【０００９】
各タリーパネル４が基準とする出力信号線から出力している映像（または各タリーパネル４が基準とする入力信号線に入力している映像）は、それぞれモニター８に表示される。
【００１０】
コントロールパネル５，ライブスイッチャ６は、それぞれルーティングスイッチャ３を切替操作する（各出力信号線をそれぞれ所望の入力信号線と接続させる）ための操作キーを有する操作器である。
【００１１】
ターミナルＰＣ１は、システム全般について各種設定を行うためのものである。ルーティングスイッチャ３の個々の入力信号線に入力する映像信号，個々の出力信号線から出力する映像信号の名称（英数字の名称）の設定も、このターミナルＰＣ１で行われる。
【００１２】
ターミナルＰＣ１での設定結果は、ＲＳ−２３２Ｃをプロトコルとする通信によってＳ−ＢＵＳ１次局２に伝えられる。
【００１３】
Ｓ−ＢＵＳ１次局２は、ターミナルＰＣ１から伝えられた設定結果に基づき、Ｓ−ＢＵＳ７に接続されている各部とポーリング形式で通信を行ってこのシステムを管理する。
【００１４】
すなわち、Ｓ−ＢＵＳ１次局２は、ターミナルＰＣ１での設定結果をこれらの各部に伝えるとともに、コントロールパネル５やライブスイッチャ６の操作結果に基づいてルーティングスイッチャ３の切替を制御してその制御結果（どの入力信号線がどの出力信号線と接続されたかを示す情報）を各部に伝える。
【００１５】
各タリーパネル４には、このＳ−ＢＵＳ１次局２との通信結果に基づき、それぞれ基準とする出力信号線と接続されている入力信号線（または基準とする入力信号線と接続されている出力信号線）について設定された英数字の信号名称が表示される。
【００１６】
図２では、ルーティングスイッチャ３の入力信号線ＩＮ００１，ＩＮ００２，…に入力する映像信号の名称がターミナルＰＣ１でそれぞれ「ＣＡＭ１」，「ＣＡＭ２」，…，と設定される（‘ＣＡＭ’はカメラの意）とともに、ルーティングスイッチャ３の出力信号線ＯＵＴ００１，ＯＵＴ００２，…から出力する映像信号の名称がターミナルＰＣ１でそれぞれ「ＬＩＮＥ１」，「ＬＩＮＥ２」，「ＭＯＮ１」，…と設定される例を示している（‘ＬＩＮＥ’は配信・送出用の機器または編集装置用の信号ラインの意、‘ＭＯＮ’はモニターの意である）。
【００１７】
なお、前述の先行出願（特願２００１−３１９７５７）は本願の出願時には未公開であり、この先行出願以外の先行技術文献情報については不知である。
【００１８】
【発明が解決しようとする課題】
しかし、図１のタリーパネル４のような従来のタリーパネルに、ルーティングスイッチャの出力信号線について設定された信号名称を表示することには、以下に〔問題１〕，〔問題２〕として説明するような２通りの問題が存在していた。
【００１９】
〔問題１〕
放送局では、ルーティングスイッチャを図１のように１台だけ用いるのではなく、ルーティングスイッチャを複数段重ねて用いることも少なくない。
【００２０】
図３は、ルーティングスイッチャを２段重ねて用いた例を示しており、ルーティングスイッチャ３Ａ，３Ｂはそれぞれ図１，図２のルーティングスイッチャ３と同一構成のものである。カメラやＶＴＲからの映像信号がルーティングスイッチャ３Ａの入力信号線ＩＮ００１，ＩＮ００２，…に入力し、ルーティングスイッチャ３Ａの出力信号線ＯＵＴ００１，ＯＵＴ００２，…から出力した映像信号がルーティングスイッチャ３Ｂの入力信号線ＩＮ００１，ＩＮ００２，…に入力する。そして、ルーティングスイッチャ３Ａの出力信号線ＯＵＴ００１，ＯＵＴ００２，…から出力した映像信号が、送出・配信用の機器，モニター，編集装置等に送られる。
【００２１】
このようにルーティングスイッチャを複数段重ねて用いる場合において、ルーティングスイッチャの個々の入力信号線に入力しているカメラやＶＴＲからの映像がそれぞれどこに送られているかを容易に把握できるようにするためには、１段目のルーティングスイッチャの特定の入力信号線を基準とするタリーパネルに、最終段のルーティングスイッチャの出力信号線（その入力信号線に入力した映像信号が最終的に出力される出力信号線）について設定された信号名称を表示することが望まれる。
【００２２】
具体的には、図３の例では、ルーティングスイッチャ３Ａでは入力信号線ＩＮ００１が出力信号線ＯＵＴ００１に接続されており、ルーティングスイッチャ３Ａの出力信号線ＯＵＴ００１はルーティングスイッチャ３Ｂの入力信号線ＩＮ００５につながれており、ルーティングスイッチャ３Ｂでは入力信号線ＩＮ００５が出力信号線ＯＵＴ００１に接続されているので、ルーティングスイッチャ３Ａの入力信号線ＩＮ００１に入力したカメラまたはＶＴＲからの映像信号は、最終的にルーティングスイッチャ３Ｂの出力信号線ＯＵＴ００１から出力する。
【００２３】
したがって、このルーティングスイッチャ３Ａの入力信号線ＩＮ００１に入力しているカメラからの映像信号（「ＣＡＭ１」という信号名称）の映像がどこに送られているかを容易に把握できるようにするためには、ルーティングスイッチャ３Ａの入力信号線ＩＮ００１を基準とするタリーパネルに、ルーティングスイッチャ３Ｂの出力信号線ＯＵＴ００１について設定された「ＭＯＮ３０」という信号名称を表示することが望まれる。
【００２４】
しかし、図１のタリーパネル４のような従来のタリーパネルは、１台のルーティングスイッチャのどの出力信号線がどの入力信号線と接続されたかを示す情報に基づいて信号名称を表示するものである。そのため、ルーティングスイッチャを複数段重ねて用いる場合において、１段目のルーティングスイッチャの入力信号線を基準とするタリーパネル４には、１段目のルーティングスイッチャの出力信号線について設定された信号名称しか表示されない。
【００２５】
具体的には、図３の例でルーティングスイッチャ３Ａの入力信号線ＩＮ００１を基準とするタリーパネル４には、同図のように、ルーティングスイッチャ３Ａの出力信号線ＯＵＴ００１について設定された「ＬＩＮＥ１」という信号名称しか表示されない。
【００２６】
例えば図３の例において、ルーティングスイッチャ３Ａの入力信号線ＩＮ００１に入力している映像がどこに送られているかを把握するためには、ルーティングスイッチャ３Ａの入力信号線ＩＮ００１を基準とするタリーパネル４以外に、ルーティングスイッチャ３Ｂの入力信号線ＩＮ００５を基準とする２台目のタリーパネル４を設け、それらの２台のタリーパネル４を隣接させて配置させた上で、後者のタリーパネル４の「ＭＯＮ３０」という表示を見なければならない。
【００２７】
しかし、このように１つの入力信号線あたり２台のタリーパネル４を設けることは、システムの大型化やコスト高を招いてしまう。
【００２８】
また、ルーティングスイッチャのどの入力信号線とどの出力信号線とが接続されるかはコントロールパネルやライブスイッチャ（図１のコントロールパネル５やライブスイッチャ６）の操作によって切り替わるので、例えば図３の例においてルーティングスイッチャ３Ａの入力信号線ＩＮ００１をどの出力信号線と接続するかを切り替える操作が行われると、そのつど２台目のタリーパネル４がルーティングスイッチャ３Ｂのどの入力信号線を基準とするかの設定をし直さなければならなくなる。
【００２９】
そのため、タリーパネル４の設定作業が煩雑になるとともに、設定ミスによって誤った信号名称が表示される事態を招く可能性も高くなる。
【００３０】
〔問題２〕
次に、ルーティングスイッチャでは、１つの入力信号線が１つの出力信号線だけに接続されるとは限らず、１つの入力信号線が複数の出力信号線に接続される場合もある。
【００３１】
図４はそうした例を示しており、ルーティングスイッチャ３の入力信号線ＩＮ００１が３つの出力信号線ＯＵＴ００１，ＯＵＴ００３及びＯＵＴ００５に接続されている。
【００３２】
図１のタリーパネル４のような従来のタリーパネルは、１つの信号名称の表示のみを行うものである。そのため、ルーティングスイッチャの１つの入力信号線が複数の出力信号線に接続されている場合にも、ルーティングスイッチャ３の入力信号線を基準とするタリーパネル４には、１つの出力信号線について設定された信号名称だけしか表示されない。
【００３３】
具体的には、図４の例で、ルーティングスイッチャ３の入力信号線ＩＮ００１を基準とするタリーパネル４には、同図のように、出力信号線ＯＵＴ００１，ＯＵＴ００３，ＯＵＴ００５についてそれぞれ設定された信号名称「ＬＩＮＥ１」，「ＭＯＮ１」，「ＭＯＮ３」のうちの例えば「ＬＩＮＥ１」だけしか表示されない。
【００３４】
このように１つの信号名称だけしか表示されないと、そのタリーパネル４を見ている者には、その映像信号が複数の用途に使用されていることは全く分からない（図４の例では、入力信号線ＩＮ００１に入力している映像信号が「ＭＯＮ１」，「ＭＯＮ３」という名称の映像信号としてモニターにも送られていることは全く分からない）。
【００３５】
そのため、信号名称が表示されているほうの用途ではその映像信号が必要なくなったのでルーティングスイッチャ３の切替操作を行ったりカメラでの撮影を終了させたりＶＴＲの再生動作を停止させたりしたところ、映像信号が表示されていないほうの用途ではまだその映像信号が必要であったために、それらの用途でのその映像信号が中断されてしまうことがあった。
【００３６】
以上に〔問題１〕，〔問題２〕として説明したように、ルーティングスイッチャの出力信号線について設定された信号名称を従来のタリーパネルに表示することには、ルーティングスイッチャを複数段重ねて用いることや、ルーティングスイッチャの１つの入力信号線が複数の出力信号線に接続されることに伴う問題が存在していた。
【００３７】
本発明は、上述の点に鑑み、ルーティングスイッチャの出力信号線について設定された信号名称を表示するのに適した信号名称表示装置等を提供することを課題としてなされたものである。
【００３８】
【課題を解決するための手段】
この課題を解決するために、本出願人は、複数の入力信号線と複数の出力信号線とが交差するマトリクス構造の信号切替装置におけるマトリクスの外部での出力信号線と入力信号線とのつながりを示す情報を記憶した記憶手段と、この記憶手段に記憶された情報及びこの信号切替装置のマトリクス内部での入力信号線と出力信号線との接続を示す情報に基づき、この信号切替装置のいずれかの入力信号線を基準として、その入力信号線に入力した信号が最終的に出力される出力信号線を検索する検索手段と、この検索手段の検索結果及びこの信号切替装置の出力信号線についての信号名称を示す情報に基づき、その基準となる入力信号線に入力した信号が最終的に出力される出力信号線についての信号名称を表示する表示手段とを備えた信号名称表示装置を提案する。
【００３９】
この信号名称表示装置（本発明に係る第１の信号名称表示装置）では、複数の入力信号線と複数の出力信号線とが交差するマトリクス構造の信号切替装置におけるマトリクスの外部での出力信号線と入力信号線とのつながりを示す情報（図３の例では、ルーティングスイッチャ３Ａの出力信号線とルーティングスイッチャ３Ｂの入力信号線とのつながりを示す情報）が、記憶手段に記憶されている。
【００４０】
この信号切替装置のマトリクス内部での入力信号線と出力信号線との接続を示す情報（図３の例では、ルーティングスイッチャ３Ａにおける入力信号線と出力信号線との接続を示す情報と、ルーティングスイッチャ３Ｂにおける入力信号線と出力信号線との接続を示す情報）が供給されると、その情報とこの記憶手段に記憶された情報とに基づき、検索手段により、この信号切替装置の基準となる入力信号線に入力した信号が最終的に出力される出力信号線が検索される。
【００４１】
そして、この検索手段の検索結果及びこの信号切替装置の出力信号線についての信号名称を示す情報に基づき、基準となる入力信号線に入力した信号が最終的に出力される出力信号線についての信号名称が表示手段によって表示される。
【００４２】
このように、信号切替装置におけるマトリクスの外部で出力信号線と入力信号線とがつながれている場合に、或る入力信号線に入力した信号が最終的に出力される出力信号線についての信号名称が、その入力信号線を基準とする１台の信号名称表示装置で表示される。
【００４３】
したがって、例えば図３に例示したように放送局においてルーティングスイッチャを複数段重ねて用いる場合に、１段目のルーティングスイッチャの入力信号線を基準とする信号名称表示装置に、最終段のルーティングスイッチャの出力信号線について設定された信号名称を表示することができる。
【００４４】
なお、この信号名称表示装置において、一例として、出力信号線の検索範囲を設定するための操作手段をさらに備え、検索手段を、この操作手段で設定された範囲で検索を行うように構成することが好適である。
【００４５】
あるいはまた、この信号名称表示装置において、一例として、出力信号線の検索順序を設定するための操作手段をさらに備え、検索手段を、この操作手段で設定された順序で検索を行うように構成することが好適である。
【００４６】
このように、操作で設定した範囲や順序で検索が行われるようにすることにより、信号切替装置の多数の出力信号線のうちの一部の出力信号線しか使用していない場合等に、検索に要する時間を短縮することができるようになる。
【００４７】
また、この信号名称表示装置において、一例として、記憶手段に、出力信号線と入力信号線との複数通りのつながりを示す情報を記憶させ、これらの複数通りの中から出力信号線と入力信号線とつながりを設定するための操作手段をさらに備え、検索手段を、記憶手段に記憶された情報のうちこの操作手段で設定されたつながりを示す情報に基づいて検索を行うように構成することが好適である。
【００４８】
それにより、信号切替装置におけるマトリクスの外部での出力信号線と入力信号線とのつなげかたを変更する場合（例えば、図３に例示したようにルーティングスイッチャを複数段重ねて用いる場合に、ルーティングスイッチャの出力信号線を後段のルーティングスイッチャのどのに入力信号線につなげるかを変更する場合）にも、入力信号線に入力した信号が最終的に出力される出力信号線についての信号名称が表示されるようになる。
【００４９】
次に、本出願人は、複数の入力信号線と複数の出力信号線とが交差するマトリクス構造の信号切替装置と、この信号切替装置におけるマトリクスの外部での出力信号線と入力信号線とのつながりを示す情報を記憶した記憶手段と、この記憶手段に記憶された情報及びこの信号切替装置のマトリクス内部での入力信号線と出力信号線との接続を示す情報に基づき、この信号切替装置のいずれかの入力信号線を基準として、その入力信号線に入力した信号が最終的に出力される出力信号線を検索する検索手段と、この検索手段の検索結果及びこの信号切替装置の出力信号線についての信号名称を示す情報に基づき、その基準となる入力信号線に入力した信号が最終的に出力される出力信号線についての信号名称を表示する表示手段とを備えた信号名称表示装置と、この信号切替装置のマトリクス内部での入力信号線と出力信号線との接続を示す情報をこの信号名称表示装置に供給する手段と、この信号切替装置の出力信号線についての信号名称を示す情報をこの信号名称表示装置に供給する手段とを含んだ信号名称表示システムを提案する。
【００５０】
この信号名称表示システム（本発明に係る第１の信号名称表示システム）は、信号切替装置と、前述の本発明に係る第１の信号名称表示装置と、信号切替装置のマトリクス内部での入力信号線と出力信号線との接続を示す情報や信号切替装置の出力信号線についての信号名称を示す情報をこの信号名称表示装置に供給する手段とを含んだものであり、本発明に係る第１の信号名称表示装置について説明したように、信号切替装置におけるマトリクスの外部で出力信号線と入力信号線とがつながれている場合に、或る入力信号線に入力した信号が最終的に出力される出力信号線についての信号名称が、その入力信号線を基準とする１台の信号名称表示装置で表示される。
【００５１】
次に、本出願人は、複数の入力信号線と複数の出力信号線とが交差するマトリクス構造の信号切替装置におけるマトリクスの外部での出力信号線と入力信号線とのつながりを示す情報を記憶する第１のステップと、この第１のステップで記憶した情報と、この信号切替装置のマトリクス内部での入力信号線と出力信号線との接続を示す情報とに基づき、この信号切替装置のいずれかの入力信号線を基準として、その入力信号線に入力した信号が最終的に出力される出力信号線を検索する第２のステップと、この第２のステップでの検索結果及びこの信号切替装置の出力信号線についての信号名称を示す情報に基づき、その基準となる入力信号線に入力した信号が最終的に出力される出力信号線についての信号名称を表示する第３のステップとを有する信号名称表示方法を提案する。
【００５２】
この信号名称表示方法（本発明に係る第１の信号名称表示方法）によれば、前述の本発明に係る第１の信号名称表示装置について説明したのと全く同様にして、信号切替装置におけるマトリクスの外部で出力信号線と入力信号線とがつながれている場合に、或る入力信号線に入力した信号が最終的に出力される出力信号線についての信号名称が、その入力信号線を基準とする１台の信号名称表示装置で表示される。
【００５３】
次に、本出願人は、複数の入力信号線と複数の出力信号線とが交差するマトリクス構造の信号切替装置におけるマトリクス内部での入力信号線と出力信号線との接続を示す情報に基づき、いずれかの入力信号線を基準として、その入力信号線と接続されている前記出力信号線を検索する検索手段と、この検索手段の検索結果に基づき、その基準となる入力信号線に接続されている出力信号線の数が複数であるか１つであるかを判別する判別手段と、この判別手段の判別結果及びこの信号切替装置の出力信号線についての信号名称を示す情報に基づき、その基準となる入力信号線に出力信号線が複数接続されている場合、その複数の出力信号線のうちの１つの出力信号線についての信号名称を表示するとともに複数の出力信号線が接続されていることを示すマークを表示し、その基準となる入力信号線に出力信号線が１つだけ接続されている場合、その１つの出力信号線についての信号名称を表示する表示手段とを備えた信号名称表示装置を提案する。
【００５４】
この信号名称表示装置（本発明に係る第２の信号名称表示装置）では、複数の入力信号線と複数の出力信号線とが交差するマトリクス構造の信号切替装置におけるマトリクス内部での入力信号線と出力信号線との接続を示す情報（図４の例では、ルーティングスイッチャ３の入力信号線と出力信号線との接続を示す情報）が供給されると、その情報に基づき、検索手段により、この信号切替装置の基準となる入力信号線と接続されている出力信号線が検索される。
【００５５】
そして、この検索手段の検索結果に基づき、その基準となる入力信号線に接続されている出力信号線の数が複数であるか１つであるかが判別手段によって判別される。
【００５６】
そして、この判別手段の判別結果と、この信号切替装置の出力信号線についての信号名称を示す情報とに基づき、その基準となる入力信号線に出力信号線が複数接続されている場合には、その複数の出力信号線のうちの１つの出力信号線についての信号名称と、複数の出力信号線が接続されていることを示すマークとが表示手段によって表示される。他方、その基準となる入力信号線に出力信号線が１つだけ接続されている場合には、その１つの出力信号線についての信号名称が表示手段によって表示される。
【００５７】
このように、この信号名称表示装置によれば、信号切替装置のマトリクス内部で入力信号線が複数の出力信号線に接続されている場合に、そのうちの１つの出力信号線についての信号名称が表示されるだけでなく、複数の出力信号線が接続されていることを示すマークが表示される。
【００５８】
したがって、例えば図４に例示したように放送局においてルーティングスイッチャの入力信号線が複数の出力信号線に接続されている場合に、その入力信号線に入力している映像信号が複数の用途に使用されていることが分かるようになる。
【００５９】
なお、この信号名称表示装置において、一例として、出力信号線の検索範囲を設定するための操作手段をさらに備え、検索手段を、この操作手段で設定された範囲で検索を行うように構成することが好適である。
【００６０】
あるいはまた、この信号名称表示装置において、一例として、出力信号線の検索順序を設定するための操作手段をさらに備え、検索手段を、この操作手段で設定された順序で検索を行うように構成することが好適である。
【００６１】
このように、操作で設定した範囲や順序で検索が行われるようにすることにより、信号切替装置の多数の出力信号線のうちの一部の出力信号線しか使用していない場合等に、検索に要する時間を短縮することができるようになる。
【００６２】
次に、本出願人は、複数の入力信号線と複数の出力信号線とが交差するマトリクス構造の信号切替装置と、この信号切替装置におけるマトリクス内部での入力信号線と出力信号線との接続を示す情報に基づき、いずれかの入力信号線を基準として、その入力信号線と接続されている前記出力信号線を検索する検索手段と、この検索手段の検索結果に基づき、その基準となる入力信号線に接続されている出力信号線の数が複数であるか１つであるかを判別する判別手段と、この判別手段の判別結果及びこの信号切替装置の出力信号線についての信号名称を示す情報に基づき、その基準となる入力信号線に出力信号線が複数接続されている場合、その複数の出力信号線のうちの１つの出力信号線についての信号名称を表示するとともに複数の出力信号線が接続されていることを示すマークを表示し、その基準となる入力信号線に出力信号線が１つだけ接続されている場合、その１つの出力信号線についての信号名称を表示する表示手段とを備えた信号名称表示装置と、この信号切替装置の出力信号線についての信号名称を示す情報をこの信号名称表示装置に供給する手段とを含んだ信号名称表示システムを提案する。
【００６３】
この信号名称表示システム（本発明に係る第２の信号名称表示システム）は、信号切替装置と、前述の本発明に係る第２の信号名称表示装置と、信号切替装置のマトリクス内部での入力信号線と出力信号線との接続を示す情報や信号切替装置の出力信号線についての信号名称を示す情報をこの信号名称表示装置に供給する手段とを含んだものであり、本発明に係る第２の信号名称表示装置について説明したように、信号切替装置のマトリクス内部で入力信号線が複数の出力信号線に接続されている場合に、そのうちの１つの出力信号線についての信号名称が表示されるだけでなく、複数の出力信号線が接続されていることを示すマークが表示される。
【００６４】
次に、本出願人は、複数の入力信号線と複数の出力信号線とが交差するマトリクス構造の信号切替装置におけるマトリクス内部での入力信号線と出力信号線との接続を示す情報に基づき、いずれかの入力信号線を基準として、その入力信号線と接続されている前記出力信号線を検索する第１のステップと、この第１のステップでの検索結果に基づき、その基準となる入力信号線に接続されている出力信号線の数が複数であるか１つであるかを判別する第２のステップと、この第２のステップでの判別結果と、この信号切替装置の出力信号線についての信号名称を示す情報とに基づき、その基準となる入力信号線に出力信号線が複数接続されている場合、それらの複数の出力信号線のうちの１つの出力信号線についての信号名称を表示するとともに、複数の出力信号線が接続されていることを示すマークを表示し、その基準となる入力信号線に出力信号線が１つだけ接続されている場合、その１つの出力信号線についての信号名称を表示する第３のステップとを有する信号名称表示方法を提案する。
【００６５】
この信号名称表示方法（本発明に係る第２の信号名称表示方法）によれば、前述の本発明に係る第２の信号名称表示装置について説明したのと全く同様にして、信号切替装置のマトリクス内部で入力信号線が複数の出力信号線に接続されている場合に、そのうちの１つの出力信号線についての信号名称が表示されるだけでなく、複数の出力信号線が接続されていることを示すマークが表示される。
【００６６】
【発明の実施の形態】
以下、放送局においてルーティングスイッチャの出力信号に設定された信号名称を表示するために本発明を適用した例を、図面を用いて具体的に説明する。
【００６７】
図５は、本発明に係る第１の信号名称表示装置，信号名称表示システム，信号名称表示方法を適用した信号名称表示システムの構成を示しており、図１と共通する部分には同一符号を付している。この信号名称表示システムでは、ターミナルＰＣ（パーソナルコンピュータ）１と、Ｓ−ＢＵＳ１次局２と、２次局としての２台のルーティングスイッチャ３Ａ及び３Ｂ，複数台のタリーパネル１０，コントロールパネル５及びライブスイッチャ６とが、Ｓ−ＢＵＳ７に接続されている。Ｓ−ＢＵＳ７は、ルーティングスイッチャ制御用の専用のプロトコルのネットワークである。
【００６８】
ルーティングスイッチャ３Ａ，３Ｂは、図１のルーティングスイッチャ３について図２に示したのと同じく、複数本（例えば１２８本の倍数で最大１０２４本）の入力信号線ＩＮ００１，ＩＮ００２，…と複数の出力信号線ＯＵＴ００１，ＯＵＴ００２，…とが交差するとともに各交差ポイントに接続スイッチが設けられたマトリクス構造をしており、各入力信号線をそれぞれ接続スイッチによって所望の出力信号線と接続することができるようになっている。
【００６９】
ルーティングスイッチャ３Ａ，３Ｂは、図３に示すように２段重ねて用いられており、カメラやＶＴＲからの映像信号がルーティングスイッチャ３Ａの入力信号線ＩＮ００１，ＩＮ００２，…に入力し、ルーティングスイッチャ３Ａの出力信号線ＯＵＴ００１，ＯＵＴ００２，…から出力した映像信号がルーティングスイッチャ３Ｂの入力信号線ＩＮ００１，ＩＮ００２，…に入力する。そして、ルーティングスイッチャ３Ａの出力信号線ＯＵＴ００１，ＯＵＴ００２，…から出力した映像信号が、送出・配信用の機器，モニター，編集装置等に送られる。
【００７０】
図５において、個々のタリーパネル１０は、ルーティングスイッチャ３Ｂの出力信号線のうち、ルーティングスイッチャ３Ａの基準となる入力信号線に入力した映像信号が出力される出力信号線について設定された信号名称を、表示素子として例えば蛍光表示管を用いた文字表示部に表示するものである。
【００７１】
各タリーパネル１０には、ルーティングスイッチャ３Ａの出力信号線とルーティングスイッチャ３Ｂの入力信号線との複数通り（例えば１２８通り）のつながりを示す情報をテーブル化して記憶したメモリが内蔵されている。以下では、このつながりを「紐付け関係」と呼ぶことにする。また、各タリーパネル１０には、後出の図７のような処理を実行するプロセッサが内蔵されている。
【００７２】
図６は、各タリーパネル１０の表面に設けられている操作キーの種類を示す。「ＰＡＮＥＬ  ＦＵＮＣＴＩＯＮ」キーは、ルーティングスイッチャ３Ａの入力信号線のうち、ルーティングスイッチャ３Ｂの出力信号線の検索時に基準とする入力信号線を、その入力信号線の番号によって設定するための操作キーである。
【００７３】
「ＳＥＡＲＣＨ  ＴＹＰＥ」キーは、ルーティングスイッチャ３Ｂの出力信号線を検索する順序（若い番号の出力信号線の順に検索するか、老いた番号の出力信号線の順に検索するか）を設定するための操作キーである。
【００７４】
「ＳＥＡＲＣＨ  ＲＡＮＧＥ」キーは、ルーティングスイッチャ３Ｂの出力信号線を検索する範囲（何番から何番までの出力信号線を検索するか）を設定するための操作キーである。
【００７５】
「ＳＥＴ  ＲＯＵＴＥ」キーは、ルーティングスイッチャ３Ａの出力信号線とルーティングスイッチャ３Ｂの入力信号線との紐付け関係を、タリーパネル１０の前述のメモリに記憶されている複数通りの紐付け関係にそれぞれ付与されている番号のうちの所望の１つの番号を選択することによって設定するための操作キーである。
【００７６】
図５において、各タリーパネル１０が基準とする入力信号線に入力している映像は、それぞれモニター８に表示される。
【００７７】
コントロールパネル５，ライブスイッチャ６は、それぞれルーティングスイッチャ３Ａやルーティングスイッチャ３Ｂを切替操作する（各出力信号線をそれぞれ所望の入力信号線と接続させる）ための操作キーを有する操作器である。
【００７８】
ターミナルＰＣ１は、システム全般について各種設定を行うためのものである。ルーティングスイッチャ３Ａやルーティングスイッチャ３Ｂの個々の入力信号線に入力する映像信号，個々の出力信号線から出力する映像信号の名称（英数字の名称）の設定も、このターミナルＰＣ１で行われる。
【００７９】
ターミナルＰＣ１での設定結果は、ＲＳ−２３２Ｃをプロトコルとする通信によってＳ−ＢＵＳ１次局２に伝えられる。
【００８０】
Ｓ−ＢＵＳ１次局２は、ターミナルＰＣ１から伝えられた設定結果に基づき、Ｓ−ＢＵＳ７に接続されている各部とポーリング形式で通信を行ってこのシステムを管理する。
【００８１】
すなわち、Ｓ−ＢＵＳ１次局２は、ターミナルＰＣ１での設定結果をこれらの各部に伝えるとともに、コントロールパネル５やライブスイッチャ６の操作結果に基づいてルーティングスイッチャ３Ａやルーティングスイッチャ３Ｂの切替を制御してその制御結果（どの出力信号線がどの入力信号線と接続されたかを示す情報）を各部に伝える。
【００８２】
図７は、各タリーパネル１０内のプロセッサが実行する処理を示すフローチャートである。この処理は、図６の各操作キーで設定が行われた状態で、Ｓ−ＢＵＳ１次局２からルーティングスイッチャ３Ａ，３Ｂの最新の制御結果（ルーティングスイッチャ３Ａ，３Ｂにおいてそれぞれどの入力信号線がどの出力信号線と接続されたかを示す情報）が伝えられる毎にスタートする。
【００８３】
そして、最初に、ルーティングスイッチャ３Ａの制御結果と、メモリ内の複数通りの紐付け関係の情報のうち「ＳＥＴ  ＲＯＵＴＥ」キー（図６）で設定された紐付け関係の情報とに基づき、ルーティングスイッチャ３Ａの入力信号線のうち「ＰＡＮＥＬ  ＦＵＮＣＴＩＯＮ」キー（図６）で設定された基準となる入力信号線から、ルーティングスイッチャ３Ｂの入力信号線までのルート（その基準となる入力信号線がどの出力信号線と接続されており、その出力信号線がルーティングスイッチャ３Ｂのどの入力信号線につながれているか）を判別する（ステップＳ１）。
【００８４】
続いて、「ＳＥＡＲＣＨ  ＴＹＰＥ」キー（図６）で設定された検索順序が若い番号の出力信号線の順であるか否かを判断する（ステップＳ２）。
【００８５】
イエスであれば、ステップＳ１で判別したルーティングスイッチャ３Ｂの入力信号線と、「ＳＥＡＲＣＨ  ＲＡＮＧＥ」キー（図６）で設定された検索範囲のうちの最初の（最も番号の若い）ルーティングスイッチャ３Ｂの出力信号線との接続の有無を、ルーティングスイッチャ３Ｂの制御結果に基づいて検索する（ステップＳ３）。そして、接続されているか否かを判断する（ステップＳ４）。
【００８６】
イエスであれば、Ｓ−ＢＵＳ１次局２から伝えられたルーティングスイッチャ３Ｂの出力信号線についての信号名称に基づき、ルーティングスイッチャ３Ｂのその出力信号線について設定された信号名称を文字表示部に表示する（ステップＳ５）。そして処理を終了する。
【００８７】
他方ノーであれば、検索範囲内のすべての出力信号線について検索を終えたか否かを判断する（ステップＳ６）。イエスであれば、処理を終了する。他方ノーであれば、検索範囲のうちの次の（番号が１つ老いた）ルーティングスイッチャ３Ｂの出力信号線との接続の有無を、ルーティングスイッチャ３Ｂの制御結果に基づいて検索する（ステップＳ７）。そして、ステップＳ４に戻る。
【００８８】
ステップＳ２においてノーであった場合には、ステップＳ１で判別したルーティングスイッチャ３Ｂの入力信号線と、「ＳＥＡＲＣＨ  ＲＡＮＧＥ」キー（図６）で設定された検索範囲のうちの最後の（最も番号の老いた）ルーティングスイッチャ３Ｂの出力信号線との接続の有無を、ルーティングスイッチャ３Ｂの制御結果に基づいて検索する（ステップＳ８）。そして、接続されているか否かを判断する（ステップＳ９）。
【００８９】
イエスであれば、ステップＳ５に進む。他方ノーであれば、検索範囲内のすべての出力信号線について検索を終えたか否かを判断する（ステップＳ１０）。イエスであれば、処理を終了する。他方ノーであれば、検索範囲のうちの１つ前の（番号が１つ若い）ルーティングスイッチャ３Ｂの出力信号線との接続の有無を、ルーティングスイッチャ３Ｂの制御結果に基づいて検索する（ステップＳ１１）。そして、ステップＳ９に戻る。
【００９０】
この信号名称表示システムにおいて、タリーパネル１０に信号名称が表示される様子は、次の通りである。
【００９１】
まず、各タリーパネル１０の「ＳＥＴ  ＲＯＵＴＥ」キー（図６）で、ルーティングスイッチャ３Ａの出力信号線とルーティングスイッチャ３Ｂの入力信号線との実際のつなげかた（ここでは図８に示すように、ルーティングスイッチャ３Ａの出力信号線ＯＵＴ００１はルーティングスイッチャ３Ｂの入力信号線ＩＮ００５につながれているとする）に一致した紐付け関係を設定しておく。
【００９２】
そして、或るタリーパネル１０では、「ＰＡＮＥＬ  ＦＵＮＣＴＩＯＮ」キーでルーティングスイッチャ３Ａの入力信号線ＩＮ００１を基準として設定し、「ＳＥＡＲＣＨ  ＴＹＰＥ」キーで検索順序を若い番号の出力信号線の順に設定し、「ＳＥＡＲＣＨ  ＲＡＮＧＥ」キーで検索範囲をＯＵＴ００１〜ＯＵＴ００５の範囲に設定したとする。
【００９３】
そして、コントロールパネル５やライブスイッチャ６の操作により、図８に示すように、ルーティングスイッチャ３Ａにおいて入力信号線ＩＮ００１が出力信号線ＯＵＴ００１に接続され、ルーティングスイッチャ３Ｂにおいて入力信号線ＩＮ００５が出力信号線ＯＵＴ００１に接続されたとする。
【００９４】
すると、入力信号線ＩＮ００１を基準として設定した上記タリーパネル１０では、図７の処理のステップＳ１で、基準となる入力信号線ＩＮ００１が出力信号線ＯＵＴ００１と接続されており、出力信号線ＯＵＴ００１がルーティングスイッチャ３Ｂの入力信号線ＩＮ００５につながれていることが判別される。
【００９５】
続いてそのタリーパネル１０では、図７の処理のステップＳ２からＳ３に進んでルーティングスイッチャ３Ｂにおける入力信号線ＩＮ００５と出力信号線ＯＵＴ００１との接続の有無が検索され、接続されているのでステップＳ４からＳ５に進み、図８に示すようにルーティングスイッチャ３Ｂの出力信号線ＯＵＴ００１について設定された信号名称「ＭＯＮ３０」が表示される。
【００９６】
このように、この信号名称表示システムでは、ルーティングスイッチャ３Ａの入力信号線を基準とするタリーパネル１０に、その入力信号線に入力した映像信号が最終的に出力される出力信号線（ルーティングスイッチャ３Ｂの出力信号線）について設定された信号名称が表示される。
【００９７】
これにより、ルーティングスイッチャ３Ａ，３Ｂを２段重ねて用いる場合に、ルーティングスイッチャ３Ａの個々の入力信号線に入力しているカメラやＶＴＲからの映像がそれぞれどこに送られているかを容易に把握できるようになっている。
【００９８】
また、ルーティングスイッチャ３Ａの入力信号線を基準とするタリーパネル以外にルーティングスイッチャ３Ｂの入力信号線を基準とする２台目のタリーパネルを設ける必要がないので、システムの大型化やコスト高を招かないようになっている。
【００９９】
また、「ＳＥＡＲＣＨ  ＴＹＰＥ」キーで設定した順序や「ＳＥＡＲＣＨ  ＲＡＮＧＥ」キーで設定した範囲で検索が行われるので、ルーティングスイッチャ３Ｂの多数の出力信号線のうちの一部の出力信号線しか使用していない場合等に、検索に要する時間を短縮することができるようになっている。
【０１００】
また、ルーティングスイッチャ３Ａの出力信号線とルーティングスイッチャ３Ｂの入力信号線とのつなげかたを変更する場合にも、その変更後のつなげかたに一致した紐付け関係を「ＳＥＴ  ＲＯＵＴＥ」キー（図６）で設定することにより、やはりルーティングスイッチャ３Ａの基準とする入力信号線に入力した映像信号が最終的に出力される出力信号線（ルーティングスイッチャ３Ｂの出力信号線）について設定された信号名称が表示される。
【０１０１】
なお、図５の例ではルーティングスイッチャを２段重ねて用いている。しかし、これに限らず、ルーティングスイッチャを３段重ねて用いる場合や４段重ねて用いる場合にも、それらのルーティングスイッチャの紐付け関係をタリーパネル１０内のメモリに記憶させておくとともに図７のステップＳ１で最終段のルーティングスイッチャの入力信号線までのルートを判別することにより、やはり１段目のルーティングスイッチャの基準とする入力信号線に入力した映像信号が最終的に出力される出力信号線（最終段のルーティングスイッチャの出力信号線）について設定された信号名称を表示することができる。
【０１０２】
あるいはまた、放送局では、１台のルーティングスイッチャの出力信号線から出力した映像信号をそのルーティングスイッチャの入力信号線に再入力（リエントリー）させることも少なくない。
【０１０３】
図９は、このリエントリーの例を示す。ルーティングスイッチャ３の出力信号線ＯＵＴ００１から出力した映像信号と出力信号線ＯＵＴ００２から出力した映像信号とが、ミキシング回路１１でミキシングされた後、ルーティングスイッチャ３の入力信号線ＩＮ００４に再入力する。また、ルーティングスイッチャ３の出力信号線ＯＵＴ００３から出力した映像信号と出力信号線ＯＵＴ００４から出力した映像信号とが、ミキシング回路１２でミキシングされた後、ルーティングスイッチャ３の入力信号線ＩＮ００５に再入力する。
【０１０４】
したがって、同図のように入力信号線ＩＮ００１，ＩＮ００２，ＩＮ００３，ＩＮ００４，ＩＮ００５をそれぞれ出力信号線ＯＵＴ００１，ＯＵＴ００２，ＯＵＴ００３，ＯＵＴ００４，ＯＵＴ００５と接続し、入力信号線ＩＮ００１，ＩＮ００２，ＩＮ００３にそれぞれ映像信号を入力させると、それらの映像信号が全てミキシングされて最終的に出力信号線ＯＵＴ００５から出力される。
【０１０５】
このようにリエントリーが行われる場合にも、そのルーティングスイッチャの出力信号線と入力信号線との紐付け関係をタリーパネル１０内のメモリに記憶させておくとともに図７のステップＳ１で最終的にリエントリーする入力信号線までのルートを判別することにより、やはりそのルーティングスイッチャの基準とする入力信号線に入力した映像信号が最終的に出力される出力信号線について設定された信号名称を表示することができる。
【０１０６】
次に、図１０は、本発明に係る第２の信号名称表示装置，信号名称表示システム，信号名称表示方法を適用した信号名称表示システムの構成を示しており、図１と共通する部分には同一符号を付している。この信号名称表示システムでは、ターミナルＰＣ（パーソナルコンピュータ）１と、Ｓ−ＢＵＳ１次局２と、２次局としてのルーティングスイッチャ３，複数台のタリーパネル１３，コントロールパネル５及びライブスイッチャ６とが、Ｓ−ＢＵＳ７に接続されている。Ｓ−ＢＵＳ７は、ルーティングスイッチャ制御用の専用のプロトコルのネットワークである。
【０１０７】
図２は、ルーティングスイッチャ３の機能を示す。ルーティングスイッチャ３は複数本（例えば１２８本の倍数で最大１０２４本）の入力信号線ＩＮ００１，ＩＮ００２，…と複数の出力信号線ＯＵＴ００１，ＯＵＴ００２，…とが交差するとともに各交差ポイントに接続スイッチが設けられたマトリクス構造をしている。各入力信号線には、それぞれ特定のカメラで現在撮影している映像または特定のＶＴＲから再生した資料映像等が入力される。各出力信号線から出力した映像は、それぞれ送出・配信用の機器，モニター，編集装置等に送られる。
【０１０８】
このルーティングスイッチャ３の各入力信号線をそれぞれ接続スイッチによって所望の出力信号線と接続させる（図では、‘ｐ’として表した交差ポイントで接続させている）ことにより、各カメラで現在撮影している映像やＶＴＲから再生した資料映像をそれぞれどこに配信・送出したりどの編集装置に送ったりするかを切り替えることができる。
【０１０９】
図１０において、個々のタリーパネル１３は、ルーティングスイッチャ３の基準となる入力信号線に入力した映像信号が出力される出力信号線について設定された信号名称を、表示素子として例えば蛍光表示管を用いた文字表示部に表示するものである。各タリーパネル１３には、後出の図１３のような処理を実行するプロセッサが内蔵されている。
【０１１０】
図１１は、各タリーパネル１３の表面に設けられている操作キーの種類を示す。「ＰＡＮＥＬ  ＦＵＮＣＴＩＯＮ」キーは、ルーティングスイッチャ３の出力信号線の検索時に基準とする入力信号線を、その入力信号線の番号によって設定するための操作キーである。
【０１１１】
「ＳＥＡＲＣＨ  ＴＹＰＥ」キーは、ルーティングスイッチャ３の出力信号線を検索する順序（若い番号の出力信号線の順に検索するか、老いた番号の出力信号線の順に検索するか）を設定するための操作キーである。
【０１１２】
「ＳＥＡＲＣＨ  ＲＡＮＧＥ」キーは、ルーティングスイッチャ３の出力信号線を検索する範囲（何番から何番までの出力信号線を検索するか）を設定するための操作キーである。
【０１１３】
「ＰＬＵＲＡＬ  ＤＥＳＴＩＮＡＴＩＯＮ」キーは、基準となる入力信号線が複数の出力信号線と接続されている旨を示すマークを表示するか否かを設定するための操作キーである。
【０１１４】
「ＰＬＵＲＡＬ  ＤＥＳＴ．  ＬＥＶＥＬ」キーは、ルーティングスイッチャのレイヤー（レベル）が複数存在する場合に、どのレイヤーを信号名称の表示対象とするかを設定するための操作キーである。
【０１１５】
図１２は、ルーティングスイッチャのレイヤーが２つ存在する例を示している。ビデオ信号を入出力するルーティングスイッチャ３Ａがレベル１になっており、オーディオ信号を入出力するルーティングスイッチャ３Ｂがレベル２になっている。「ＰＬＵＲＡＬ  ＤＥＳＴ．  ＬＥＶＥＬ」キーは、例えばこの例でルーティングスイッチャ３Ｂの出力信号線について設定された信号名称「ＬＩＮＥ１０」，「ＬＩＮＥ２０」，「ＭＯＮ１０」，…を表示させたい場合にはレベル２に設定する操作を行うものである。
【０１１６】
図１０において、各タリーパネル１３が基準とする入力信号線に入力している映像は、それぞれモニター８に表示される。
【０１１７】
コントロールパネル５，ライブスイッチャ６は、それぞれルーティングスイッチャ３を切替操作する（各出力信号線をそれぞれ所望の入力信号線と接続させる）ための操作キーを有する操作器である。
【０１１８】
ターミナルＰＣ１は、システム全般について各種設定を行うためのものである。ルーティングスイッチャ３の個々の入力信号線に入力する映像信号，個々の出力信号線から出力する映像信号の名称（英数字の名称）の設定も、このターミナルＰＣ１で行われる。
【０１１９】
ターミナルＰＣ１での設定結果は、ＲＳ−２３２Ｃをプロトコルとする通信によってＳ−ＢＵＳ１次局２に伝えられる。
【０１２０】
Ｓ−ＢＵＳ１次局２は、ターミナルＰＣ１から伝えられた設定結果に基づき、Ｓ−ＢＵＳ７に接続されている各部とポーリング形式で通信を行ってこのシステムを管理する。
【０１２１】
すなわち、Ｓ−ＢＵＳ１次局２は、ターミナルＰＣ１での設定結果をこれらの各部に伝えるとともに、コントロールパネル５やライブスイッチャ６の操作結果に基づいてルーティングスイッチャ３の切替を制御してその制御結果（どの出力信号線がどの入力信号線と接続されたかを示す情報）を各部に伝える。
【０１２２】
図１３は、各タリーパネル１３内のプロセッサが実行する処理を示すフローチャートである。この処理は、図１１の各操作キーで設定が行われた状態で、Ｓ−ＢＵＳ１次局２からルーティングスイッチャ３の最新の制御結果（どの入力信号線がどの出力信号線と接続されたかを示す情報）が伝えられる毎にスタートする。
【０１２３】
そして、最初に、「ＰＡＮＥＬ  ＦＵＮＣＴＩＯＮ」キー（図１１）で設定されたルーティングスイッチャ３の基準となる入力信号線と接続されている出力信号線の数を示す変数ａの値を０に設定する（ステップＳ２１）。
【０１２４】
続いて、「ＳＥＡＲＣＨ  ＴＹＰＥ」キー（図６）で設定された検索順序が若い番号の出力信号線の順であるか否かを判断する（ステップＳ２２）。
【０１２５】
イエスであれば、ルーティングスイッチャ３の基準となる入力信号線と、「ＳＥＡＲＣＨ  ＲＡＮＧＥ」キー（図１１）で設定された検索範囲のうちの最初の（最も番号の若い）の出力信号線との接続の有無を、ルーティングスイッチャ３の制御結果に基づいて検索する（ステップＳ２３）。そして、接続されているか否かを判断する（ステップＳ２４）。
【０１２６】
イエスであれば、変数ａの値を１だけインクリメントする（ステップＳ２５）。そして、検索範囲内のすべての出力信号線について検索を終えたか否かを判断する（ステップＳ２６）。他方、ステップＳ２４でノーであれば、そのままステップＳ２６に進む。
【０１２７】
ステップＳ２６でノーであった場合には、ルーティングスイッチャ３の基準となる入力信号線と、検索範囲のうちの次の（番号が１つ老いた）出力信号線との接続の有無を、ルーティングスイッチャ３の制御結果に基づいて検索する（ステップＳ２７）。そして、ステップＳ２４に戻る。
【０１２８】
ステップＳ２６でイエスになると、変数ａの値が２以上であるか否かを判断する（ステップＳ２８）。イエスであれば、「ＰＬＵＲＡＬ  ＤＥＳＴＩＮＡＴＩＯＮ」キー（図１１）で複数の出力信号線と接続されている旨を示すマークを表示することが設定されているか否かを判断する（ステップＳ２９）。
【０１２９】
イエスであれば、Ｓ−ＢＵＳ１次局２から伝えられたルーティングスイッチャ３の出力信号線についての信号名称に基づき、ルーティングスイッチャ３の基準となる入力信号線と接続されている出力信号線のうち最初の（最も番号の若い）出力信号線について設定された信号名称（図１１の「ＰＬＵＲＡＬ  ＤＥＳＴ．ＬＥＶＥＬ」キーでレイヤーが設定されている場合にはそのレイヤーについて設定された信号名称）を文字表示部に表示するとともに、複数の出力信号線と接続されている旨を示す所定のマークを文字表示部に表示する（ステップＳ３０）。そして処理を終了する。
【０１３０】
ステップＳ２８でノーであった場合には、変数ａの値が１であるか否かを判断する（ステップＳ３１）。ステップＳ２９でノーであった場合にも、ステップＳ３１に進む。
【０１３１】
ステップＳ３１でノーであれば、そのまま処理を終了する。他方ステップＳ３１でイエスであれば、Ｓ−ＢＵＳ１次局２から伝えられたルーティングスイッチャ３の出力信号線についての信号名称に基づき、ルーティングスイッチャ３の基準となる入力信号線と接続されている出力信号線について設定された信号名称（図１１の「ＰＬＵＲＡＬ  ＤＥＳＴ．  ＬＥＶＥＬ」キーでレイヤーが設定されている場合にはそのレイヤーについて設定された信号名称）を文字表示部に表示する（ステップＳ３２）。そして処理を終了する。
【０１３２】
ステップＳ２２でノーであった場合には、ルーティングスイッチャ３の基準となる入力信号線と、「ＳＥＡＲＣＨ  ＲＡＮＧＥ」キー（図１１）で設定された検索範囲のうちの最後の（最も番号の老いた）の出力信号線との接続の有無を、ルーティングスイッチャ３の制御結果に基づいて検索する（ステップＳ３３）。そして、接続されているか否かを判断する（ステップＳ３４）。
【０１３３】
イエスであれば、変数ａの値を１だけインクリメントする（ステップＳ３５）。そして、検索範囲内のすべての出力信号線について検索を終えたか否かを判断する（ステップＳ３６）。他方、ステップＳ３４でノーであれば、そのままステップＳ３６に進む。
【０１３４】
ステップＳ３６でノーであった場合には、ルーティングスイッチャ３の基準となる入力信号線と、検索範囲のうちの１つ前の（番号が１つ若い）出力信号線との接続の有無を、ルーティングスイッチャ３の制御結果に基づいて検索する（ステップＳ３７）。そして、ステップＳ３４に戻る。
【０１３５】
ステップＳ３６でイエスになると、変数ａの値が２以上であるか否かを判断する（ステップＳ３８）。イエスであれば、「ＰＬＵＲＡＬ  ＤＥＳＴＩＮＡＴＩＯＮ」キー（図１１）で複数の出力信号線と接続されている旨を示すマークを表示することが設定されているか否かを判断する（ステップＳ３９）。
【０１３６】
イエスであれば、Ｓ−ＢＵＳ１次局２から伝えられたルーティングスイッチャ３の出力信号線についての信号名称に基づき、ルーティングスイッチャ３の基準となる入力信号線と接続されている出力信号線のうち最後の（最も番号の老いた）出力信号線について設定された信号名称（図１１の「ＰＬＵＲＡＬ  ＤＥＳＴ．  ＬＥＶＥＬ」キーでレイヤーが設定されている場合にはそのレイヤーについて設定された信号名称）を文字表示部に表示するとともに、複数の出力信号線と接続されている旨を示す所定のマークを文字表示部に表示する（ステップＳ４０）。そして処理を終了する。
【０１３７】
ステップＳ３８でノーであった場合や、ステップＳ３９でノーであった場合は、ステップＳ３１に進む。
【０１３８】
この信号名称表示システムにおいて、タリーパネル１３に信号名称が表示される様子は、次の通りである。
【０１３９】
或るタリーパネル１０で、「ＰＡＮＥＬ  ＦＵＮＣＴＩＯＮ」キーでルーティングスイッチャ３の入力信号線ＩＮ００１を基準として設定し、「ＳＥＡＲＣＨＴＹＰＥ」キーで検索順序を若い番号の出力信号線の順に設定し、「ＳＥＡＲＣＨ  ＲＡＮＧＥ」キーで検索範囲をＯＵＴ００１〜ＯＵＴ００５の範囲に設定し、「ＰＬＵＲＡＬ  ＤＥＳＴＩＮＡＴＩＯＮ」キーで複数の出力信号線と接続されている旨を示すマークを表示することを設定したとする。
【０１４０】
そして、コントロールパネル５やライブスイッチャ６の操作により、図１４に示すように、ルーティングスイッチャ３の入力信号線ＩＮ００１が３本の出力信号線ＯＵＴ００１，ＯＵＴ００３及びＯＵＴ００５に接続されたとする。
【０１４１】
すると、そのタリーパネル１０では、図１３の処理のステップＳ２１，Ｓ２２からＳ２３に進み、ステップＳ２４〜Ｓ２７を繰り返すことにより、ルーティングスイッチャ３の基準となる入力信号線ＩＮ００１と接続されている出力信号線の数を示す変数ａの値が３になる。
【０１４２】
そして、ステップＳ２６からＳ２８，Ｓ２９，Ｓ３０と進み、図１４に示すように、出力信号線ＯＵＴ００１，ＯＵＴ００３及びＯＵＴ００５のうち最も若い出力信号線ＯＵＴ００１について設定された信号名称「ＬＩＮＥ１」が表示されるとともに、ルーティングスイッチャ３の基準となる入力信号線ＩＮ００１が複数の出力信号線と接続されている旨を示すマーク「＊」が表示される。
【０１４３】
このように、この信号名称表示システムでは、ルーティングスイッチャ３の基準とする入力信号線が複数の出力信号線に接続されている場合に、タリーパネル１３に、そのうちの１つの出力信号線についての信号名称が表示されるだけでなく、複数の出力信号線が接続されていることを示すマークが表示される。
【０１４４】
したがって、タリーパネル１３を見ている者は、ルーティングスイッチャ３の基準とする入力信号線に入力している映像信号が複数の用途に使用されていることが分かる。
【０１４５】
このように映像信号が複数の用途に使用されていることが分かっていると、信号名称が表示されているほうの用途ではその映像信号が必要なくなった場合にも、不用意にルーティングスイッチャ３の切替操作を行ったりカメラでの撮影を終了させたりＶＴＲの再生動作を停止させたりすることがなくなる。
【０１４６】
これにより、映像信号が表示されていないほうの用途ではまだその映像信号が必要であるにもかかわらずそれらの用途でのその映像信号が中断されてしまうような事態が防止される。
【０１４７】
また、「ＳＥＡＲＣＨ  ＴＹＰＥ」キーで設定した順序や「ＳＥＡＲＣＨ  ＲＡＮＧＥ」キーで設定した範囲で検索が行われるので、ルーティングスイッチャ３Ｂの多数の出力信号線のうちの一部の出力信号線しか使用していない場合等に、検索に要する時間を短縮することができるようになっている。
【０１４８】
なお、図１０の例ではルーティングスイッチャを１台だけ用いている。しかし、これに限らず、図５の例のようにルーティングスイッチャを複数段重ねて用いる場合にも、１段目のルーティングスイッチャの基準とする入力信号線に入力する映像信号が最終段のルーティングスイッチャの複数の出力信号線から出力される際に、複数の出力信号線が接続されていることを示すマークを表示するようにしてよい。
【０１４９】
また、以上の例では、放送局においてルーティングスイッチャの出力信号に設定された信号名称を表示するために本発明を適用している。しかし、これに限らず、ルーティングスイッチャ以外の信号切替装置の出力信号に設定された信号名称を表示するためにも本発明を適用してよい。
【０１５０】
また、本発明は、以上の例に限らず、本発明の要旨を逸脱することなく、その他様々の構成をとりうることはもちろんである。
【０１５１】
【発明の効果】
以上のように、本発明に係る第１の信号名称表示装置，信号名称表示システム，信号名称表示方法によれば、複数の入力信号線と複数の出力信号線とが交差するマトリクス構造の信号切替装置におけるマトリクスの外部で出力信号線と入力信号線とがつながれている場合に、或る入力信号線に入力した信号が最終的に出力される出力信号線についての信号名称が、その入力信号線を基準とする１台の信号名称表示装置で表示される。
【０１５２】
したがって、信号切替装置の出力信号についての信号名称を表示するシステムの小型化や低コスト化を実現できるという効果が得られる。
【０１５３】
また、信号切替装置の多数の出力信号線のうちの一部の出力信号線しか使用していない場合等に、検索に要する時間を短縮することができるという効果も得られる。
【０１５４】
また、信号切替装置におけるマトリクスの外部での出力信号線と入力信号線とのつなげかたを変更する場合にも、入力信号線に入力した信号が最終的に出力される出力信号線についての信号名称を表示することができるという効果も得られる。
【０１５５】
次に、本発明に係る第２の信号名称表示装置，信号名称表示システム，信号名称表示方法によれば、複数の入力信号線と複数の出力信号線とが交差するマトリクス構造の信号切替装置のマトリクス内部で入力信号線が複数の出力信号線に接続されている場合に、そのうちの１つの出力信号線についての信号名称を表示するだけでなく、複数の出力信号線が接続されていることを示すマークが表示される。
【０１５６】
したがって、信号切替装置の入力信号線に入力している信号が複数の用途に使用されていることが分かるという効果が得られる。
【０１５７】
また、信号切替装置の多数の出力信号線のうちの一部の出力信号線しか使用していない場合等に、検索に要する時間を短縮することができるという効果も得られる。
【図面の簡単な説明】
【図１】従来の信号名称表示システムの構成例を示す図である。
【図２】ルーティングスイッチャの機能を示す図である。
【図３】ルーティングスイッチャタを２段重ねた例を示す図である。
【図４】ルーティングスイッチャタの１つの入力信号線が複数の出力信号線に接続された例を示す図である。
【図５】本発明を適用した信号名称表示システムの構成例を示す図である。
【図６】図５のタリーパネルの操作キーの種類を示す図である。
【図７】図５のタリーパネルが実行する処理を示すフローチャートである。
【図８】図５のタリーパネルの表示例を示す図である。
【図９】ルーティングスイッチャタでリエントリーが行われる例を示す図である。
【図１０】本発明を適用した信号名称表示システムの構成例を示す図である。
【図１１】図１０のタリーパネルの操作キーの種類を示す図である。
【図１２】ルーティングスイッチャのレイヤーを例示する図である。
【図１３】図１０のタリーパネルが実行する処理を示すフローチャートである。
【図１４】図１０のタリーパネルの表示例を示す図である。
【符号の説明】
１  ターミナルＰＣ、  ２  Ｓ−ＢＵＳ１次局、  ３，３Ａ，３Ｂ  ルーティングスイッチャ、  １０，１３  タリーパネル、  ５  コントロールパネル、  ６  ライブスイッチャ、  ７  Ｓ−ＢＵＳ、  ８  モニター
【図１】
2004186899.tif 000003
【図２】
2004186899.tif 000004
【図３】
2004186899.tif 000005
【図４】
2004186899.tif 000006
【図５】
2004186899.tif 000007
【図６】
2004186899.tif 000008
【図７】
2004186899.tif 000009
【図８】
2004186899.tif 000010
【図９】
2004186899.tif 000011
【図１０】
2004186899.tif 000012
【図１１】
2004186899.tif 000013
【図１２】
2004186899.tif 000014
【図１３】
2004186899.tif 000015
【図１４】
2004186899.tif 000016